(57)【要約】  本発明は、段階的シェービングアドバイスを提供する方法、パーソナルケアシステム及びシェービングデバイス１に関する。個人評価データがユーザによって提供され、シェービングデバイスからの使用データが、シェービングに関連するデータを対応するシェービングアドバイス指導に関連付けるロジック部１０の入力データとして提供される。この入力データの解析に基づいて、ロジック部は、複数のシェービングアドバイス指導のうち、ユーザに提示されるシェービングアドバイス指導を決定する。
2018525124.tif 000002
【特許請求の範囲】
【請求項１】
段階的シェービングアドバイスを提供する方法であって、
シェービングデバイスから使用データを受信するステップと、
シェービングに関連するデータを、対応するシェービングアドバイス指導に関連付けるロジック部を使用して、前記使用データの解析に基づいて、複数のシェービングアドバイス指導から或るシェービングアドバイス指導を決定するステップと、
ユーザインターフェースを介して、決定された前記シェービングアドバイス指導をユーザに提供するステップと、
を含む方法において、
前記シェービングデバイスから受信される前記使用データが、シェービングセッションに関連するタイミング情報を含み、
前記方法が、前記ユーザによって提供される個人評価データを受信するステップを更に含み、
前記複数のシェービングアドバイス指導から或るシェービングアドバイス指導を決定する前記ステップが、前記個人評価データ及び前記使用データの解析に基づいていることを特徴とする、方法。
【請求項２】
前記使用データを使用履歴として記憶するステップを更に含み、前記複数のシェービングアドバイス指導から或るシェービングアドバイス指導を決定する前記ステップは、前記使用履歴の解析に更に基づいている、請求項１に記載の方法。
【請求項３】
ユーザフィードバックデータを受信するステップを更に含み、前記複数のシェービングアドバイス指導から前記シェービングアドバイス指導を決定する前記ステップは、前記ユーザフィードバックデータの解析に更に基づいている、請求項１に記載の方法。
【請求項４】
第１のシェービングアドバイス指導に関する情報を含むアドバイス履歴を生成するステップを更に含み、前記複数のシェービングアドバイス指導から或るシェービングアドバイス指導を決定する前記ステップは、前記アドバイス履歴の解析に更に基づいている、請求項１に記載の方法。
【請求項５】
オープンアプリケーションプログラミングインターフェースを介して環境情報を受信するステップを更に含み、前記複数のシェービングアドバイス指導から或るシェービングアドバイス指導を決定する前記ステップは、前記環境情報の解析に更に基づいている、請求項１に記載の方法。
【請求項６】
他のユーザからの経験レポートを受信するステップを更に含み、前記複数のシェービングアドバイス指導から或るシェービングアドバイス指導を決定する前記ステップは、前記経験レポートの解析に更に基づいている、請求項１に記載の方法。
【請求項７】
前記個人評価データは、前記ユーザの肌の敏感さに関連する情報を含む、請求項１に記載の方法。
【請求項８】
前記使用データは、前記シェービングデバイスによって測定される圧力データ及び／又は動きデータを更に含む、請求項１に記載の方法。
【請求項９】
処理ユニット内で実行可能であり、前記処理ユニット内で実行されると、請求項１乃至８の何れか一項に記載の方法を前記処理ユニットに行わせるプログラムコード手段を含む、コンピュータプログラム。
【請求項１０】
処理ユニット、並びに、外部デバイス及び／又はネットワークとデータを通信する通信インターフェースを含むシェービングデバイスと、
処理ユニット、データストレージ、外部デバイス及び／又はネットワークとデータを通信する通信インターフェース、ユーザインターフェース、並びに、ディスプレイユニットを含むスマートデバイスと、
シェービングに関連するデータを、対応するシェービングアドバイス指導に関連付けるロジック部と、
を含む、パーソナルケアシステムであって、
前記スマートデバイスは、前記ユーザインターフェースを介して、前記ユーザによって提供される個人評価データを受信し、また、前記通信インターフェースを介して、前記シェービングデバイスから使用データを受信し、前記使用データは、シェービングセッションに関連するタイミング情報を含む、パーソナルケアシステムにおいて、
前記スマートデバイスの前記処理ユニットが更に、前記ロジック部を使用して、前記個人評価データ及び前記使用データの解析に基づいて、複数のシェービングアドバイス指導から或るシェービングアドバイス指導を決定し、前記ユーザインターフェースを介して、決定された前記シェービングアドバイス指導を提供することを特徴とする、パーソナルケアシステム。
【請求項１１】
前記スマートデバイスは、前記使用データを使用履歴として保存し、前記スマートデバイスの前記処理ユニットは更に、前記使用履歴に更に基づいて、前記複数のシェービングアドバイス指導から或るシェービングアドバイス指導を決定する、請求項１０に記載のパーソナルケアシステム。
【請求項１２】
前記シェービングデバイスは、前記シェービングデバイスが前記スマートデバイスに通信可能に結合されていない期間の間、前記使用データを記憶する内部ストレージを含む、請求項１０に記載のパーソナルケアシステム。
【請求項１３】
前記スマートデバイスは更に、オープンアプリケーションプログラミングインターフェースを介して、環境情報、及び／又は、他のユーザからの経験レポートを受信し、
前記スマートデバイスの前記処理ユニットは更に、前記環境情報及び／又は前記経験レポートの解析に更に基づいて、前記複数のシェービングアドバイス指導から或るシェービングアドバイス指導を決定する、請求項１０に記載のパーソナルケアシステム。
【請求項１４】
前記シェービングデバイスは、前記シェービングデバイスのシェービングヘッドユニットに印加される圧力及び／又は動きを測定するセンサを更に含み、前記シェービングデバイスは、前記センサによって提供されるデータを使用データとして前記スマートデバイスに提供する、請求項１０に記載のパーソナルケアシステム。
【請求項１５】
処理ユニットと、
データストレージと、
ユーザからの入力を受信するか、又は、前記ユーザに出力を提供するユーザインターフェースと、
を含むシェービングデバイスであって、
前記シェービングデバイスは、前記ユーザインターフェースを介して、前記ユーザによって提供される個人評価データを受信し、
前記シェービングデバイスは、前記データストレージ内に使用データを使用履歴として記録し、前記使用データは、シェービングセッションに関連するタイミング情報を含むシェービングデバイスにおいて、
前記処理ユニットが、シェービングに関連するデータをシェービングアドバイス指導に関連付けるロジック部を使用して、前記個人評価データ及び前記使用データの解析に基づいて、複数のシェービングアドバイス指導から或るシェービングアドバイス指導を決定し、前記ユーザインターフェースを介して、決定された前記シェービングアドバイス指導を提供することを特徴とする、シェービングデバイス。
【発明の詳細な説明】
【技術分野】
【０００１】
本発明は、パーソナルケアシステム及びシェービングデバイスに関連し、具体的には、シェービングデバイスの取り扱い及びシェービングの一連の動作に関連するカスタマイズされたアドバイスの段階的な提供に関する。
【背景技術】
【０００２】
電気シェービングデバイスに関して、例えば圧力適応、フレキシブルなシェービングヘッド等、この数十年間で著しく技術が進歩しているが、シェービングデバイスの非最適使用により、最適なシェービング結果が大抵の場合得られない。シェービングデバイスの非最適使用は、皮膚炎、時には一層深刻な皮膚炎をもたらす場合がある。ユーザテスト及び観察から、シェービングデバイスの非最適使用の主な原因は、不適切な道具の取り扱い及びシェービング全体に関する知識の欠如にあることが分かっている。
【０００３】
したがって、シェービング前、シェービング中及びシェービング後の適切なガイダンスが必要である。特定のユーザ、そのユーザの知識、そのユーザの肌状態等に応じて、ガイダンスの複数の要素の関連性及び重要性が著しく異なる。
【０００４】
米国特許出願公開第２００２／００８８１２１Ａ１号から、シェービングデバイスの適切な使用を解析するためにセンサデータを使用するシェービングデバイスが知られている。シェービングデバイスは、シェービング信号を検出するために、シェービング刃の隣に取り付けられたマイクロホン又は加速度計を含む。検出信号は、ノイズを除去するようにフィルタリングされ、人工知能論理によって解析される。加速度計からの信号を使用して、ユーザが正しい速度でシェービングをしているかどうかが決定される。マイクロホンは、シェービング刃が鈍くなったか、又は、シェービングクリームをもっと使用するべきかを示すのに役立つ。したがって、適正使用範囲外のシェービング信号が検出されるといつでも、シェービングデバイスは、ユーザに指示を提供する。
【０００５】
独国特許出願公開第１０２００６００４６７５Ａ１号は、作動部材によってピボット軸の周りをピボット可能であるシェービングヘッド上に平行に配置された２つのヘアカットユニットを有する電気シェーバを開示している。この既知のシェーバは、動作中に２つのヘアカットユニットのそれぞれに対して皮膚によってかかる圧力を測定する第１及び第２の圧力センサを含む。シェーバは更に、圧力センサの出力信号を受信し、圧力センサの出力信号に基づいて作動部材を制御することによってピボット軸周りのシェービングヘッドの角度位置を制御するマイクロコントローラを含む。マイクロコントローラは、２つのヘアカットユニットへの測定圧力が所望の関係を有するように、作動部材を制御する。シェーバは更に、入力手段を含む。ユーザは、入力手段によって、肌の敏感さの程度を選択することができる。マイクロコントローラは、肌の敏感さの選択された程度に基づいても作動部材を制御する。
【０００６】
しかし、ガイダンス要素は、分かり易く且つすぐに実行可能であるためには、段階的（ステップ毎）に提示されるべきである。可能な限り影響が大きいように、関連性及び効果が最も高い要素が最初に与えられなければならない。しかし、多くの顎ひげ及び肌タイプ、様々な環境条件、様々なライフスタイル及びスキルがあることから、優先順位が決められたアドバイスの単一の標準リストを作ることは不可能である。
【発明の概要】
【発明が解決しようとする課題】
【０００７】
本発明は、実現しうる最良のシェービング結果を達成するために、特定の生理機能、環境、習慣及びコンテキストを考慮して特定の瞬間におけるユーザに最も関係のあるすぐに実行可能で且つ分かり易いシェービングアドバイスを提供することを目的とする。
【課題を解決するための手段】
【０００８】
上記目的は、請求項１による段階的シェービングアドバイスを提供する方法、請求項９によるコンピュータプログラム、請求項１０によるパーソナルケアシステム及び請求項１５によるシェービングデバイスによって達成される。
【０００９】
したがって、シェービングデバイスによって集められた及び／又は例えばユーザ若しくはインターネットからの入力である更なるソースからの複数のデータが入力されると、本発明は、シェービングアドバイス指導のカスタマイズされた優先順位を提供する。選択されたシェービングアドバイス指導は、段階的に又はステップ毎にユーザに提示され、後続のアドバイスは、使用法及び／又は報告されたフィードバックの変化が検出されると適応される。
【００１０】
本発明の一態様では、段階的シェービングアドバイスを提供する方法が提供される。当該方法は、
−ユーザによって提供される個人評価データを受信するステップと、
−シェービングデバイスから、シェービングセッションに関連するタイミング情報を含む使用データを受信するステップと、
−シェービングに関連するデータを対応するシェービングアドバイス指導に関連付けるロジック部を使用して、個人評価データ及び使用データの解析に基づいて、複数のシェービングアドバイス指導から或るシェービングアドバイス指導を決定するステップと、
−ユーザインターフェースを介して、決定されたシェービングアドバイス指導をユーザに提供するステップとを含む。
【００１１】
個人評価データは、ユーザが、ユーザインターフェースを介して提示される質問表に応えてユーザインターフェースを介して提供する肌の敏感さ、年齢、毛のタイプ、でこぼこ肌、内生毛、毛を捉えることの難しさ等に関連する情報を含む。このようなユーザインターフェースは、グラフィカルユーザインターフェースであっても音響的ユーザインターフェースであってもよい。個人評価データは更に、ユーザが過去にデータを既に提供している場合は、データベースからダウンロードされてよい。特に、ユーザの肌の敏感さに関する情報は、タイミング情報と合わせられると、ユーザに提供されるシェービングアドバイス指導を決定するのに比較的重要である。シェービングデバイスからのタイミング情報には、シェービングデバイスが初めて使用され、更なる使用情報がないことを示すゼロ回数を含む使用回数情報、シェービングセッションの継続時間、シェービングセッションの頻度、問題又は誤使用を示しうるシェービングセッション中の中断、時刻等の何れかが含まれる。ロジック部が使用され、個人評価データ及び使用データの解析に基づいて、複数の利用可能なシェービングアドバイス指導からカスタマイズされた又は優先順位が付けられたシェービングアドバイス指導が決定される。このロジック部は、シェービングに関連するデータを対応するシェービングアドバイス指導に関連付けることを可能にする任意の種類のアルゴリズム又はルックアップテーブルを使用する。決定されたシェービングアドバイス指導は、次に、ユーザインターフェースを介してユーザに提供される。このユーザインターフェースは、個人評価データを提供するためのユーザインターフェースと同じグラフィカル又は音響的ユーザインターフェースであっても、違うユーザインターフェースであってもよい。したがって、ユーザは、ユーザがアドバイスに傾注し、シェービング経験を着実に向上させるような時間に最も有益なカスタマイズされたアドバイスが提供される。このようにすると、与えられたアドバイスは、ユーザにとって有用であり、非常に分かり易く、覚え易く且つすぐに実行可能である。
【００１２】
本発明の一実施形態では、上記方法は、使用データを使用履歴として記憶するステップを更に含む。複数のシェービングアドバイス指導から或るシェービングアドバイス指導を決定するステップは、使用履歴の解析に更に基づいている。使用履歴の提供は、ロジック部が使用のパターンを決定し、これを決定方法に組み入れる点で、複数のシェービングアドバイス指導からの最も有益なシェービングアドバイス指導の決定を向上させる。
【００１３】
本発明の一実施形態では、上記方法は、ユーザフィードバックデータを受信するステップを更に含む。複数のシェービングアドバイス指導から或るシェービングアドバイス指導を決定するステップは、ユーザフィードバックデータの解析に更に基づいている。ユーザフィードバックデータは、ここでも、ユーザインターフェースを介して、シェービングセッションの直後に、又は、当該データが長期間に及ぶ効果に関連する場合は、ある期間の後に提供される。シェービングセッション後、ユーザは、シェービングの経験又は既に提示されたシェービングアドバイス指導の有用性に関連する１つ以上の質問を含むフィードバック質問表が提供される。ユーザフィードバックデータの提供は、シェービングアドバイス指導の決定に著しく影響を及ぼす。
【００１４】
本発明の一実施形態では、上記方法は、第１のシェービングアドバイス指導に関する情報を含むアドバイス履歴を生成するステップを更に含む。複数のシェービングアドバイス指導から或るシェービングアドバイス指導を決定するステップは、アドバイス履歴の解析に更に基づいている。既に提示されたシェービングデバイス指導は、解析されるシェービングアドバイス指導のセットを決定するか、又は、ユーザに聞く特定の質問を決定する。既に提示されたアドバイスは、同じアドバイスがあまりに頻繁に提供されて、ユーザを不快にさせないように、所与の時間の間、優先順位が下げられるか又はブロックされる。更に、アドバイスリストは、意味のある順序で一連の関連のシェービングアドバイス指導を提示するのに役立つ。つまり、アドバイス履歴は、提示される次のシェービングアドバイス指導を決定するためのコンテキストを提供する。
【００１５】
本発明の一実施形態では、上記方法は、オープンアプリケーションプログラミングインターフェースを介して環境情報を受信するステップを更に含む。複数のシェービングアドバイス指導から或るシェービングアドバイス指導を決定するステップは、環境情報の解析に更に基づいている。最も有益なアドバイスを決定するためには、湿度、日照強度、風、汚染レベル等といった環境情報を更に組み込むことが役に立つ。このようなデータは、クラウド内又はサーバ上に記憶され、任意選択的に事前に分類され、必要に応じて、インターネットを介してリクエスト又はアクセスされる。
【００１６】
本発明の一実施形態では、上記方法は、例えばオープンアプリケーションプログラミングインターフェースを介して、他のユーザからの経験レポートを受信するステップを更に含む。複数のシェービングアドバイス指導から或るシェービングアドバイス指導を決定するステップは、経験レポートの解析に更に基づいている。最も有益なアドバイスを決定するためには、同様の使用及び／又は個人評価データを有する他のユーザからのデータを更に組み込むことが役に立つ。このようなデータは、クラウド内又はサーバ上に記憶され、任意選択的に事前に分類され、必要に応じて、インターネットを介してリクエスト又はアクセスされる。
【００１７】
本発明の一実施形態では、使用データは、シェービングデバイスによって測定される圧力データ及び／又は動きデータを更に含む。シェービングデバイスは、シェービングヘッドユニットの付近に又はシェービングヘッドユニット内に、シェービング中にユーザによって印加される、例えば速度、回転又は角度位置である圧力及び／又は動きを検出する１つ以上のセンサを有する。この情報は、アドバイスの決定を更に向上させるために利用される。
【００１８】
本発明の更なる態様では、処理ユニット内で実行可能であり、処理ユニット内で実行されると、本発明の上記態様において規定された通りの方法を処理ユニットに行わせるプログラムコード手段を含むコンピュータプログラムが提供される。
【００１９】
本発明の更なる態様では、処理ユニット、並びに、外部デバイス及び／又はネットワークとデータを通信する通信インターフェースを含むシェービングデバイスと、処理ユニット、データストレージ、外部デバイス及び／又はネットワークとデータを通信する通信インターフェース、ユーザインターフェース、並びに、ディスプレイユニットを含むスマートデバイスと、シェービングに関連するデータを対応するシェービングアドバイス指導に関連付けるロジック部とを含むパーソナルケアシステムが提供される。更に、スマートデバイスは、ユーザインターフェースを介して、ユーザによって提供される個人評価データを受信し、また、通信インターフェースを介して、シェービングデバイスから使用データを受信する。使用データは、シェービングセッションに関連するタイミング情報を含む。スマートデバイスの処理ユニットは更に、ロジック部を使用して、個人評価データ及び使用データの解析に基づいて、複数のシェービングアドバイス指導から或るシェービングアドバイス指導を決定し、ユーザインターフェースを介して、決定されたシェービングアドバイス指導を提供する。
【００２０】
個人評価データは、ユーザが、スマートデバイスのユーザインターフェースを介して提示される質問表に応えて当該ユーザインターフェースを介して提供する肌の敏感さ、年齢、毛のタイプ等に関連する情報を含む。このようなユーザインターフェースは、グラフィカルユーザインターフェースであっても音響的ユーザインターフェースであってもよい。個人評価データは更に、ユーザが過去にデータを既に提供している場合は、データベースからダウンロードされてよい。特に、ユーザの肌の敏感さに関する情報は、タイミング情報と合わせられると、ユーザに提供されるシェービングアドバイス指導を決定するのに比較的重要である。シェービングデバイスによって提供されるタイミング情報には、シェービングデバイスが初めて使用され、更なる使用情報がないことを示すゼロ回数を含む使用回数情報、シェービングセッションの継続時間、シェービングセッションの頻度、問題又は誤使用を示しうるシェービングセッション中の中断、時刻等の何れかが含まれる。ロジック部を使用して、複数の利用可能なシェービングアドバイス指導から或るシェービングアドバイス指導が決定される。このロジック部は、シェービングに関連するデータを対応するシェービングアドバイス指導に関連付けることを可能にする任意の種類のアルゴリズム又はルックアップテーブルを使用する。決定されたシェービングアドバイス指導は、次に、ユーザインターフェースを介してユーザに提供される。このユーザインターフェースは、個人評価データを提供するためのユーザインターフェースと同じグラフィカル又は音響的ユーザインターフェースであっても、違うユーザインターフェースであってもよい。スマートデバイスは、例えばスマートホン、タブレット等といったように、他のデバイスとデータを通信し、特定の命令にしたがってデータを処理する機能を提供する任意のデバイスであってよい。更に将来のシステムは、様々なパーソナルケアシステム及び／又は娯楽システムをサポートするスマートミラーを使用する可能性がある。
【００２１】
本発明の一実施形態では、スマートデバイスは、使用データを使用履歴として保存し、スマートデバイスの処理ユニットは更に、使用履歴に更に基づいて、複数のシェービングアドバイス指導から或るシェービングアドバイス指導を決定する。スマートデバイスは、スマートデバイスのデータストレージ内又は例えばサーバによってホストされる若しくはクラウド内のデータベースである遠隔の場所に、受信した使用データを履歴として記憶する。このようにすると、スマートデバイスを紛失する又は正常に機能しない場合でも、データは保存される。更に、例えばデータを分類し、特定のシェービングタイプ／特徴を生成することによって、データは他のユーザに提供されてもよい。
【００２２】
本発明の一実施形態では、シェービングデバイスは、シェーバがスマートデバイスに通信可能に結合されていない期間について、使用データを記憶する内部ストレージを含む。例えばスマートデバイスがない場合、充電されていない場合、又は、通信インターフェースが正常に機能していないことにより通信ができない場合等、スマートデバイスがシェービングデバイスと通信していない場合、シェービングデバイスは、内部ストレージに使用情報を記憶し、スマートデバイスが次にシェービングデバイスと通信するときに、使用履歴をスマートデバイスと同期させる。
【００２３】
本発明の一実施形態では、スマートデバイスは更に、オープンアプリケーションプログラミングインターフェースを介して、環境情報、及び／又は、他のユーザからの経験レポートを受信する。スマートデバイスの処理ユニットは更に、環境情報及び／又は経験レポートの解析に更に基づいて、複数のシェービングアドバイス指導から或るシェービングアドバイス指導を決定する。本発明の一実施形態では、シェービングデバイスは、シェービングデバイスのシェービングヘッドユニットに印加される圧力及び／又は動きを測定するセンサを更に含み、シェービングデバイスは、センサによって提供されるデータを使用データとしてスマートデバイスに提供する。センサは、シェービングヘッドユニットのすぐ下に取り付けられるか又はシェービングデバイスの他の部分に取り付けられる。シェービングデバイスの取り扱いを解析するための更なる入力を提供する音響センサ又は視覚センサといった更なるセンサがあってもよい。
【００２４】
本発明の更なる態様では、処理ユニットと、データストレージと、ユーザからの入力を受信するか、又は、ユーザに出力を提供するユーザインターフェースとを含むシェービングデバイスが提供される。シェービングデバイスは、ユーザインターフェースを介して、ユーザによって提供される個人評価データを受信し、データストレージ内に使用データを使用履歴として記録する。使用データは、シェービングセッションに関連するタイミング情報を含む。処理ユニットは、シェービングに関連するデータをシェービングアドバイス指導に関連付けるロジック部を使用して、個人評価データ及び使用データの解析に基づいて、複数のシェービングアドバイス指導から或るシェービングアドバイス指導を決定し、ユーザインターフェースを介して、決定されたシェービングアドバイス指導を提供する。
【００２５】
個人評価データは、ユーザが、ユーザインターフェースを介して提示される質問表に応えてユーザインターフェースを介して提供する肌の敏感さ、年齢、毛のタイプ等を含む。ユーザインターフェースは、グラフィカルユーザインターフェースであっても音響的ユーザインターフェースであってもよい。ユーザインターフェースは、シェービングデバイス自体によって提供されても、シェービングデバイスによって制御のみされて、シェービングデバイスと通信可能に結合されているスマートミラー、別のディスプレイ又はインタラクティブデバイス上に表示されてもよい。個人評価データは更に、ユーザが過去にデータを既に提供している場合は、データベースからダウンロードされてよい。特に、ユーザの肌の敏感さに関する情報は、タイミング情報を合わせられると、ユーザに提供されるシェービングアドバイス指導を決定するのに比較的重要である。シェービングデバイスからのタイミング情報には、シェービングデバイスが初めて使用され、更なる使用情報がないことを示すゼロ回数を含む使用回数情報、シェービングセッションの継続時間、シェービングセッションの頻度、問題又は誤使用を示しうるシェービングセッション中の中断、時刻等の何れかが含まれる。ロジック部を使用して、複数のシェービングアドバイス指導から或るシェービングアドバイス指導が決定される。このロジック部は、シェービングに関連するデータを対応するシェービングアドバイス指導に関連付けることを可能にする任意の種類のアルゴリズム又はルックアップテーブルを使用する。決定されたシェービングアドバイス指導は、次に、ユーザに提供される。決定されたアドバイスは、入力ユーザインターフェースと同じであるユーザインターフェース又は別のインターフェースを介して提示される。例えば入力ユーザインターフェースは、グラフィカルユーザインターフェースである一方で、出力ユーザインターフェースは音響的ユーザインターフェースであってもよい。本発明によるパーソナルケアシステムと同様に、本発明によるシェービングデバイスは、データを交換するために、インターネットを介してリモートサーバ又はクラウドに接続されてよい。このために、シェービングデバイスは、ブルートゥース（登録商標）といった短信号通信と、無線又は有線インターネットアクセスとの両方を可能にすることが好適である通信インターフェースを含む。
【００２６】
当然ながら、請求項１の段階的シェービングアドバイスを提供する方法、請求項９のコンピュータプログラム、請求項１０のパーソナルケアシステム及び請求項１５のシェービングデバイスは、同様及び／又は同一の好適な実施形態、具体的には従属請求項に規定された通りの好適な実施形態を有する。
【００２７】
当然ながら、本発明の好適な実施形態は、従属請求項、即ち、上記実施形態の各独立請求項との任意の組み合わせであってよい。
【００２８】
本発明のこれらの及び他の態様は、以下に説明される実施形態から明らかとなり、また、当該実施形態を参照して説明される。
【図面の簡単な説明】
【００２９】
【図１】図１は、本発明の好適な実施形態を示す。
【図２】図２は、本発明の第２の好適な実施形態を示す。
【発明を実施するための形態】
【００３０】
図１は、通信インターフェース４を介してスマートデバイス１２の対応する通信インターフェース８と接続可能であるシェービングデバイス１を含むシステムを示す。接続は無線であっても有線であってもよい。好適には、接続は、ブルートゥース（登録商標）といった短距離無線接続である。スマートデバイスは、例えばスマートホン、タブレット等のソフトウェアアプリケーションを実行可能である任意の電子デバイスである。好適には、スマートデバイスは、例えば任意のサーバ又はクラウドとの通信といったように、特にインターネット１１を介した他のデバイスとの有線又は無線通信も可能であるべきである。
【００３１】
シェービングデバイス１は、シェービングデバイスを制御する処理ユニット２を含む。更に、処理ユニットは、シェーバに、圧力センサ又は動きセンサといったオプションのセンサが取り付けられている場合に、センサデータを処理するために使用される。好適には、処理ユニットからのデータがスマートデバイス１２への転送前まで記憶されるデータストレージ３が設けられている。このようにすると、シェービング中にシェービングデバイス１がスマートデバイス１２に接続されていなくても、シェーバからの使用履歴データがシェービングデバイス１内に記憶される。データは、スマートデバイス１２が次にシェービングデバイス１と接続するときに読み出される。したがって、使用データが損なわれることがない。スマートデバイス１２は更に、ユーザインターフェース９及びディスプレイユニット１３を含む。ユーザインターフェース９及びディスプレイユニット１３は、例えばインタラクティブコンテンツを表示し、画面上に表示される特定の要素をユーザが触ることによるユーザ入力を受信することを可能にするタッチスクリーンとして接続される。或いは又は更に、ユーザインターフェース９は、音響入力を受信する及び／又は音響出力を提供するように設けられてよい。更に、スマートデバイス１２は、処理ユニット６及びデータストレージ７を含む。処理ユニットは、シェービングに関連するデータを対応するシェービングアドバイス指導に関連付け、重み付けをするために、ユーザ及び／又はシェーバによって提供される任意のデータを処理するように使用される。処理ユニットは、ロジック部１０を使用して、適切なシェービングアドバイス指導を決定する。ロジック部は、スマートデバイス内、シェーバ内又は中央サーバといった遠隔デバイス内に組み込まれていてよい。ロジック部は、提供された入力データに基づき、複数のシェービングアドバイス指導から或るシェービングアドバイス指導を決定し、当該シェービングアドバイス指導を出力する。このようなロジック部の１つの可能な実施態様は、ユーザによって与えられた回答及びシェーバによって提供されたデータの様々な（組み合わせ）が重み付けされ、合計されて、各シェービングアドバイス指導のアドバイス値が計算されるアルゴリズムである。質問／回答は、シェービングアドバイス指導毎に異なる。これらのシェービングアドバイス指導は分類され、分類の種類毎に、最も高いアドバイス値を有するアドバイスがユーザに与えられる。等しいアドバイス値が決定される場合は、最も安全なアドバイスがユーザに与えられる。ロジック部の実現するもう１つの可能性は、シェービングアドバイス指導を入力データの組み合わせに相関させるルックアップテーブルを使用することである。つまり、このデータが提供されると、このアドバイスが与えられるべきである。このようなルックアップテーブルは、スマートデバイス１２か、又は、スマートデバイス１２がアクセスを有するサーバ上に記憶されてよい。別の代替実施態様は、ある種のフローチャートを表す。これは、決定方法は変わらないが、入力は異なる前提条件を有することを意味する。つまり、ユーザが聞かれる質問及びユーザが受け取るコンテンツ／アドバイスは、フローにおけるユーザの位置に依存する。特定のセットの条件が満たされない場合（例えば幾つかのフィードバック質問に対する回答がない、又は、シェーバがしばらく同期されていないために特定の時間の間、シェーバデータが提供されていない場合）、ユーザは、フローにおいて動かない。しかし、上記されたように、提供された入力データに基づいてシェービングアドバイス指導に優先順位を与えることが可能である任意のロジック部が実現されてよい。
【００３２】
例えばシェービングデバイス１の起動であるシステムの最初の使用時、ユーザは、スマートデバイス１２によって表示される質問のセットを介して、ユーザの典型的なシェービングに関する問題はなんであるかが質問される。例えば、
−幾つかのひげの領域（少なくとも首及び口周り）について肌の敏感さ（「敏感でない」から「非常に敏感である」の段階）
−毛を捉える難しさ
−内生毛
−にきび
−でこぼこ肌（過去のにきびによる）
−乾燥した突っ張った肌
【００３３】
この入力は、最初の使用時にのみ質問されるが、ユーザが、これを必要と思う場合はいつでも又は日常的に更新することができる。
【００３４】
シェービングデバイス１は、
−ひげの長さを算定するために最後にユーザが実際にシェービングしたとき
−シェービングの平均頻度（週にどれくらい）
−シェービングの平均継続時間（任意選択的にひげの密度、ひげの範囲及びひげの長さと併せて、シェービングの効率を評価するために）
−シェービングデバイスのオン／オフ状態（ユーザのシェービング前、シェービング中及びシェービング後の状態を決定するために）
といった使用データを記録する。
【００３５】
例えば最初の使用、シェービングの継続時間、シェービングの頻度、時刻等のタイミング情報に加えて、シェービングデバイス１は、１つ以上のセンサ５を含む。センサは、例えば使用時のシェービングデバイス１、特にヘッドユニットの圧力及び／又は動きに関する更なるデータを提供する。更なるオプションのデータ源は、例えばクラウドデータといったオープンＡＰＩからのデータである。
−温度及び空気湿度（ウェット／フォーム使用か又はドライ使用のアドバイスのため）
−汚れ（特定のシェービング前の洗浄アドバイスのため）
【００３６】
これらの情報に基づいて、以下の通り、様々なシェービングアドバイスを与えることができる。例えば、
シェービング前のアドバイス
−敏感肌には、摩擦を最小限にするために、回転式シェーバを使用してフォームと共にウェットシェービングを使用することを検討してください。
−シェービングをする前に、トリミングをすることを検討してください。
−ドライシェービングを選ぶのであれば、肌が乾燥していることを確認してください。
シェービング中のアドバイス
−敏感な部分では、軽度の圧力のみを使用し、ストローク数を制限してください。
−非常に敏感な部分では、最小限の圧力のみを使用し、伸ばすことなく、ストローク数も最小限に抑えてください。
−内生毛がある部分では、最適な近さにしないでください。
−取り扱いが難しい毛は、圧力をほとんど使用することなく、複数の方向からアプローチしてください。
−にきびがある部分では、最小限の圧力のみを使用し、伸ばすことなく、ストローク数を最小限に抑えてください。
−肌がでこぼこしている部分では、軽度の圧力のみを使用し、ストローク数を制限してください。
−優しくシェービングするために、「敏感」用の速度設定を使用してください。
−これらの毛を効果的に捉えるために、小さい円運動を使用してください。
−最初は軽度の圧力をかけてください。仕上げには、最適な近さのためにもっと圧力をかけてください。敏感な部分では、特定の圧力アドバイスにしたがってください。
−もっと近づけるために、きめに対して動かしてみてください。これは敏感な部分ではしないでください。
−シェービングをより効果的にし、もっと近づけるために毛を持ち上げるべく皮膚を伸ばしてください。これは敏感な部分ではしないでください。
シェービング後のアドバイス
−肌を落ち着かせるために、鎮静作用のあるアルコールフリーのアフターシェーブバームを使用してください。
−１日おきにシェービングして、肌が回復する時間を作ってください。
−肌の状態が大丈夫であれば、毛が成長しないように毎日シェービングしてください。
−シェービングした後、肌に水分補給するように保湿ローションを使用してください。
−シェービングした後、洗浄ブラシを使用して優しく顔を洗ってください。シェービングした後にひりひりした部分は避けてください。
【００３７】
複数のシェービングアドバイス指導は、好適には、スマートデバイス１２のデータストレージ７に記憶される。ロジック部は、提供された入力データに基づいて、また、任意選択的に、特定の問題に関する報告された進捗／フィードバック（問題は解決可能であり、より深刻になる又はあまり深刻にならない、（再）出現する）、使用履歴（例えばセッションが短くなった、中断がほとんどない、ユーザは、今度は別の時刻にシェービングをするようになった等）のような更なるデータに基づいて、複数のシェービングアドバイス指導から、ユーザに対して最も高い優先順位を有するシェービングアドバイス指導を決定する。シェービングアドバイス指導は、シェービング前、シェービング中若しくはシェービング後に提供されてよく、又は、各期間につき１つのシェービングアドバイス指導があってもよい。以下の実施例では、非常に敏感な肌を有し、他の特定の問題も有するユーザのシェービングデバイス１の最初の使用（システムの最初の使用に基づき、記録されたシェービングセッションがない）を仮定する。この特定のシェービングに関するこのユーザに最も関連のあるシェービングアドバイス指導は、
−非常に敏感な部分では、最小限の圧力のみを使用し、皮膚を伸ばさずに、ストローク数を最小限に抑えて下さい、となるであろう。
【００３８】
上記ユーザがシェービングデバイス１を止めた後、システムは、使用が１回のシェービングとして認識されるのに十分に長かったかどうかを解析する。決定が肯定的である場合、例えば、
−肌を落ち着かせるために、鎮静作用のあるアルコールフリーのアフターシェーブバームを使用してください、との対応するシェービング後のアドバイスが与えられる。
【００３９】
システムは更に、ユーザインターフェース９を介して、このシェービングの後の肌がどんな風に感じるかユーザに聞き、ユーザインターフェースを介して提供された回答を記録する。アドバイスが既に、シェービング結果を実質的に向上させたと仮定し、また、ユーザが例えば３日間以上後に、再びシェービングしたと仮定すると、システムは、３日間以上使用しなかったことと、最初のシェービングの後にユーザによって提供されたフィードバックとを考慮して、複数のシェービングアドバイス指導のそれぞれの優先順位を再計算し、したがって、次のシェービングの前にシステムを起動したときに提供される次のアドバイスは、
−シェービングの前に、トリミングをすることを検討してください、となる。
【００４０】
ユーザが、シェービングを終了した後にシェービングデバイスを止めた後、シェービングした後の新しいアドバイスは、
−肌の状態が大丈夫であれば、毛が成長しないように毎日シェービングしてください、となるであろう。
【００４１】
このようにすると、与えられるアドバイスは、非常に分かり易く、覚え易く、すぐに実行可能である。前に与えられたアドバイスはすべて、ユーザが常にユーザの都合で読み直すことができるリスト、例えばスマートルーティンに記憶される。
【００４２】
ユーザは、最適なシェービング結果が達成されるまで、シェービング動作をステップ毎に、シェービング毎に向上させる。
【００４３】
図２は、図１に示される実施形態のスマートデバイスの機能の一部がシェービングデバイス１０１に組み込まれている第２の好適な実施形態を示す。したがって、以下の説明は、図１の実施形態からの差分についてのみ説明する。シェービングデバイス１０１の通信インターフェース１０４は、ブルートゥース（登録商標）といった短距離通信を介して、例えば外部ディスプレイ２０との通信を可能にする。更に、通信インターフェース１０４は、有線又は無線でのインターネット１１との通信も可能にする。ユーザインターフェース１０９は、シェービングデバイス１０１に組み込まれ、視覚的ディスプレイユニット１２０を含む。或いは又は更に、ユーザインターフェースは、音響的インターフェースであってもよい。したがって、ユーザは、ひげのタイプ、肌の敏感さに関する様々な選択オプションが提示され、ユーザは、例えば番号を言うことによってオプションのうちの１つを選択することができる。アドバイスも、シェービング前、シェービング中又はシェービング後に音響形式で与えられてよい。
【００４４】
更に、シェービングデバイス１０１は、例えばラジオといった娯楽デバイス、ディスプレイを提供する別のパーソナルケアシステム、又は、コンテンツを表示するための部分を有するスマートウォッチ若しくはスマートミラーといった外部電子デバイス内に含まれるディスプレイユニット２０にシェービングアドバイス指導を送信する。シェービングデバイス１０１の代替実施形態では、視覚的ディスプレイユニット１２０は、シェービングをしているユーザが見ているミラー上にアドバイスを投影するプロジェクタユニットである。
【図１】
2018525124.tif 000003
【図２】
2018525124.tif 000004
【国際調査報告】
2018525124.tif 000005
2018525124.tif 000006
2018525124.tif 000007